【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
溶媒中に懸濁した所定の電気的および磁気的特性を有する粒子が充填された封止されたマイクロカップのアレイであって、該封止されたマイクロカップの表面が透明な面を構成するアレイ、および
該透明な面から視認可能な画像を形成するように、該封止されたマイクロカップ内の該所定の電気的および磁気的特性を有する該粒子に電磁界をマニュアルで印加するための電磁気画像書込／描画手段
を含む画像ディスプレイ。
【請求項２】
前記粒子は電荷を帯びた粒子である、請求項１に記載の画像ディスプレイ。
【請求項３】
前記封止されたマイクロカップのアレイは電気泳動分散物により充填されている、請求項１に記載の画像ディスプレイ。
【請求項４】
前記画像を消去するために、前記所定の電気的および磁気的特性を有する前記粒子に電磁界を印加するための消去手段を更に含む、請求項１に記載の画像ディスプレイ。
【請求項５】
前記画像をスキャンするための画像スキャニング手段を更に含む、請求項１に記載の画像ディスプレイ。
【請求項６】
前記透明な面から視認可能な画像を書き込むために、画像データ源から入力データを受信するプロセッサ制御画像書込手段を更に含む、請求項１に記載の画像ディスプレイ。
【請求項７】
前記封止されたマイクロカップに充填された前記粒子から電磁気作用を中和するための中和手段を更に含む、請求項１に記載の画像ディスプレイ。
【請求項８】
前記透明な面に対して電磁気操作を実施するために、該透明な面を移動させるための面移動手段を更に含む、請求項１に記載の画像ディスプレイ。
【請求項９】
前記透明な面が保護透明層を構成する、請求項１に記載の画像ディスプレイ。
【請求項１０】
前記透明な面は耐摩耗性ポリマー性層を含む、請求項９に記載の画像ディスプレイ。
【請求項１１】
前記封止されたマイクロカップの各々は、前記透明な面と反対側のコモン電極層を構成する第２の面を更に含む、請求項１に記載の画像ディスプレイ。
【請求項１２】
前記封止されたマイクロカップに充填された前記粒子は前記溶媒と視覚的にコントラストを為す帯電色素粒子である、請求項１に記載の画像ディスプレイ。
【請求項１３】
前記封止されたマイクロカップに充填された前記溶媒は誘電性溶媒である、請求項１に記載の画像ディスプレイ。
【請求項１４】
前記封止されたマイクロカップに充填された前記粒子は帯電有機または無機粒子である、請求項１に記載の画像ディスプレイ。
【請求項１５】
前記封止されたマイクロカップに充填された前記粒子は正または負に帯電した粒子である、請求項１に記載の画像ディスプレイ。
【請求項１６】
前記プロセッサ制御画像書込手段は電気書込ヘッドを更に含む、請求項６に記載の画像ディスプレイ。
【請求項１７】
前記プロセッサ制御画像書込手段は前記透明な面と反対の裏側に配置される、請求項６に記載の画像ディスプレイ。
【請求項１８】
前記プロセッサ制御画像書込手段は前記透明な面と同じ側にある表示側に配置される、請求項６に記載の画像ディスプレイ。
【請求項１９】
前記消去手段は電気イレーサヘッドを更に含む、請求項４に記載の画像ディスプレイ。
【請求項２０】
前記消去手段は前記透明な面と反対の裏側に配置される、請求項４に記載の画像ディスプレイ。
【請求項２１】
前記消去手段は前記透明な面と同じ側にある表示側に配置される、請求項４に記載の画像ディスプレイ。
【請求項２２】
前記電磁気画像書込／描画手段は電気書込ペンである、請求項１に記載の画像ディスプレイ。
【請求項２３】
前記電気書込ペンは前記透明な面と同じ側にある表示側に配置される、請求項２２に記載の画像ディスプレイ。
【請求項２４】
前記電気書込ペンはマニュアルのイレーサとして機能するように電気イレーサを更に含む、請求項２２に記載の画像ディスプレイ。
【請求項２５】
マニュアルのイレーサとして機能するように電気イレーサを更に含む、請求項１に記載の画像ディスプレイ。
【請求項２６】
前記電気イレーサは前記透明な面と同じ側にある表示側に配置される、請求項２５に記載の画像ディスプレイ。
【請求項２７】
画像ディスプレイを構成するための方法であって：
封止されたマイクロカップのアレイに、溶媒中に懸濁した所定の電気的および磁気的特性を有する粒子を充填し、該封止されたマイクロカップの表面が透明な面を構成すること；および
該透明な面から視認可能な画像を形成するために、該封止されたマイクロカップ内の該所定の電気的および磁気的特性を有する該粒子に電磁界をマニュアルで印加するための電磁気画像書込／描画手段を適用すること
を含む方法。
【請求項２８】
前記粒子は電荷を帯びた粒子である、請求項２７に記載の方法。
【請求項２９】
前記封止されたマイクロカップのアレイは電気泳動分散物により充填されている、請求項２７に記載の方法。
【請求項３０】
前記画像を消去するために、前記所定の電気的および磁気的特性を有する前記粒子に電磁界を印加するための消去手段を用いることを更に含む、請求項２７に記載の方法。
【請求項３１】
前記画像をスキャンするための画像スキャニング手段を用いることを更に含む、請求項２７に記載の方法。
【請求項３２】
前記透明な面から視認可能な画像を書き込むために、画像データ源から入力データを受信するためのプロセッサ制御画像書込手段を用いることを更に含む、請求項２７に記載の方法。
【請求項３３】
前記封止されたマイクロカップに充填された前記粒子から電磁気作用を中和するための中和手段を用いることを更に含む、請求項２７に記載の方法。
【請求項３４】
前記透明な面に対して電磁気操作を実施するために、該透明な面を移動させるための面移動手段を用いることを更に含む、請求項２７に記載の方法。
【請求項３５】
前記透明な面と反対側の第２の面にコモン電極層を設けるために、前記封止されたマイクロカップの各々に該第２の面を設定することを更に含む、請求項２７に記載の方法。
【手続補正２】
【補正対象書類名】明細書
【補正対象項目名】０００３
【補正方法】変更
【補正の内容】
【０００３】
これらの理由により、会議での議論に、特により複雑または詳細な画像のイラストが必要な場合に画像を表示するために、電子ホワイトボードの代わりに、液晶ディスプレイ（ＬＣＤ）またはＭＥＭプロジェクタを用いた画像投影がしばしば選択される。しかしながら、画像投影ディスプレイはより高コストの投影機器を要することが多い。よりよい表示の投影画像を得るためには、大抵の場合、背景の光量を少なくする必要がある。投影画像を議論に用いることの主な難点は、コンピュータからしか投影画像を変更できないという制約を受けることである。投影画像を手書または描画によって変更するという選択肢は利用できない。この制約により、リアルタイムでのプレゼンテーションおよび議論の効率が著しく低下する。更に、プレゼンテーションを行うまたは議論の進行役を務める者は、画像をディスプレイ面に投影するため、投影画像を遮らないように投影光から離れていなければならない。また、そのような者が投影光に面するようにして表示画像の隣に立つと、表示画像および議論に対する観衆または会議の参加者の反応をそれらの者が知覚するための視野を更に邪魔することとなる。よって、こういった問題および制約を克服できるように、画像ディスプレイにつき改善された方法およびデバイスを提供することが依然として必要とされている。
【手続補正３】
【補正対象書類名】明細書
【補正対象項目名】００２４
【補正方法】変更
【補正の内容】
【００２４】
磁化粒子は帯電していても、帯電していなくてもよい。同様に、コントラスト着色剤粒子も帯電していても、帯電していなくてもよい。帯電粒子の場合、これは元々電荷を示しても、あるいは帯電制御剤を用いて顕在化するように帯電させてもよく、あるいは懸濁媒体に懸濁させたときに電荷を得てもよい。適当な帯電制御剤は当該技術分野において周知であり、本来的にポリマー性のものであっても、非ポリマー性のものであってもよく、また、イオン性であっても、非イオン性であってもよい。高い画像双安定性、低い粘度、ならびに沈降、クリーミング、凝集およびネットワーク形成に抗する高い分散安定性を有する粒子が好ましい。
【手続補正４】
【補正対象書類名】明細書
【補正対象項目名】００２５
【補正方法】変更
【補正の内容】
【００２５】
図１は磁気泳動ディスプレイを図示する。ディスプレイセル（１１）が基板の２つの層（１２および１３）の間に挟持されている。２つ層の少なくとも一方は透明であり、透明な層（１２）が表示側にある。セルには、透明（コントラスト）色の溶液に分散した反射性または白色（原色）の非帯電磁性粒子（１４）が充填されている。この場合に好都合な磁性粒子には金属粒子または例えばスパッタリング、真空蒸着、電着、電気メッキ、無電界メッキによって作製された金属化粒子、磁性ポリマーでコーティングまたはマイクロカプセル化されたＴｉＯ２およびＺｎＯなどの白色色素粒子、および白色色素粒子と磁性粒子（特に金属粒子）との混合物を含有するマイクロカプセルが挙げられる。可視光散乱範囲より十分に小さい粒子寸法（０．２〜０．４マイクロメートル）を有する染料または着色剤色素が透明コントラスト色溶液を調製するのに好都合である。
【手続補正５】
【補正対象書類名】明細書
【補正対象項目名】００２８
【補正方法】変更
【補正の内容】
【００２８】
図３はもう１つの別の態様であって、コントラスト色の透明溶媒に分散した帯電した白色（原色）または反射性磁性粒子（３４）がセルに充填されている態様を図示する。ディスプレイセル（３１）が基板の２つの層（３２および３３）の間に挟持されている。２つ層の少なくとも一方は透明であり、透明な層（３２）が表示側にある。しかしながらこの場合、導体フィルムの層（３８）がセル（３１）と非表示側にある基板の層（３３）との間に配置されている。磁気イレーサ（３５）は表示側に配置されている。磁気消去（またはイレース）手段を適用することによって、白色または反射性の磁性粒子は表示側へ引き寄せられ、よって、白色または原色の背景を生じる。このデザインでは、非表示側の後方に配置された磁気書込ヘッド（３６ａ）（図３Ａ）または表示側にある高電圧電気書込ヘッド（図３Ｂに図示せず）または高電圧電気ペン（３６ｂ）（図３Ｂ）のいずれによっても画像を形成できる。第１のシナリオ（または筋書きもしくは機構）では、磁気書込ヘッドを適用するものとし、白色（原色）粒子を非表示側へ引き寄せて、コントラスト色・オン・白色（またはオン・原色）の画像を形成する。第２のシナリオでは、高電圧電気書込ヘッドまたは電気ペンを使用するものとし、電気ペンおよび導体フィルム層（３８）に適切な電圧を印加することによって画像を形成できる。例えば、導体フィルムが粒子と反対の極性を有し、電気書込ヘッドまたはペンが粒子と同じ極性を有する場合、白色または原色粒子は必然的に非表示側へ移動し、同様に、コントラスト色・オン・白色（または原色）の画像を形成する。この態様は好ましいものの１つである。
【手続補正６】
【補正対象書類名】明細書
【補正対象項目名】００４６
【補正方法】変更
【補正の内容】
【００４６】
図１２は本発明の電気的な電気泳動ディスプレイ（ＥＰＤ）ホワイトボード（１８０）の水平断面図を示す。このＥＰＤホワイトボードは、情報を表示するためおよび電気ペン（１７５）でボードに書き込むために、耐擦過性保護層（１６５）（図１１を参照のこと）により保護された表示および書込側（１９０）を有して形成される。ＥＰＤウェブ（２００）が２つのローラ（１８５）に巻き付けられており、ディスプレイを新しくするため、表示されおよび書き込まれた情報のハードコピーを得るため、または表示されおよび書き込まれた情報をホワイトボードから消去するためにＥＰＤウェブ（２００）は裏側へ回転できるようになっている。ホワイトボードに表示されおよび書き込まれた情報のハードコピーを得るために、リニアスキャナ（２１０）がホワイトボード面をスキャンするように裏側（または裏面）に設けられる。このスキャナ（２１０）はハードコピーを印刷し、またはスキャンした画像をデータ格納デバイスに格納するためにプリンタまたは入力デバイスに、またはデータ格納デバイスに（本発明の本質の説明における簡潔さおよび明瞭さのために図示せず）接続される。高電圧電気イレーサヘッド（２２０）を適用し、これによりＥＰＤウェブのＥＰＤセルを予め調整し、また、書込ヘッドのアレイを含み得る高電圧書込ヘッド（２３０）を５０〜２０００ボルトの間の電圧を印加しながら適用することによってＥＰＤウェブに書き込める状態にする。ホワイトボードに情報を表示しおよび書き込む際の電子ホワイトボードの安全動作および性能安定性を確保するために、放電ローラ（２４０）を用いてＥＰＤを放電させる。電気ペンは高電圧源により電力供給され、そして、電気書込ヘッド（２３０）によりボードに書き込まれた表示情報が加えられたボードに追加の情報をマニュアルで書き込める状態になっている。
【手続補正７】
【補正対象書類名】明細書
【補正対象項目名】００４８
【補正方法】変更
【補正の内容】
【００４８】
本発明を現時点において好ましい態様に関して説明してきたが、このような開示内容は本発明を限定するものとして解釈されないことが理解される。上記の開示内容を読んだ当業者には種々の代替および改変が明白なものとなるであろうことは疑いない。よって、添付の特許請求の範囲は本発明の真の概念および範囲に属する限り、全ての代替および改変を包含するものとして解釈されるよう意図するものである。
本願発明は以下の態様を含む。
（態様１）
溶媒中に懸濁した所定の電気的および磁気的特性を有する粒子を含む封止されたマイクロカップのアレイであって、複数の該封止されたマイクロカップの表面が透明な面を構成するアレイ、および
該透明な面から視認可能な画像を形成するように、該複数の封止されたマイクロカップ内の該所定の電気的および磁気的特性を有する該粒子に電磁界をマニュアルで印加するための電磁気画像書込／描画手段
を含む画像ディスプレイ。
（態様２）
前記封止されたマイクロカップのアレイは電荷を帯びた粒子を含む、態様１に記載の画像ディスプレイ。
（態様３）
前記封止されたマイクロカップのアレイは電気泳動分散物を含む、態様１に記載の画像ディスプレイ。
（態様４）
前記画像を消去するために、前記所定の電気的および磁気的特性を有する前記粒子に電磁界を印加するための消去手段を更に含む、態様１に記載の画像ディスプレイ。
（態様５）
前記封止されたマイクロカップの各々は５〜１００マイクロメートル（５〜１００μｍ）の範囲にある深さを有する、態様１に記載の画像ディスプレイ。
（態様６）
前記画像をスキャンするための画像スキャニング手段を更に含む、態様１に記載の画像ディスプレイ。
（態様７）
前記透明な面から視認可能な画像を書き込むために、画像データ源から入力データを受信するプロセッサ制御画像書込手段を更に含む、態様１に記載の画像ディスプレイ。
（態様８）
前記封止されたマイクロカップに含まれる前記粒子から電磁気作用を中和するための中和手段を更に含む、態様１に記載の画像ディスプレイ。
（態様９）
前記透明な面に対して電磁気操作を実施するために、該透明な面を移動させるための面移動手段を更に含む、態様１に記載の画像ディスプレイ。
（態様１０）
前記透明な面が保護透明層を構成する、態様１に記載の画像ディスプレイ。
（態様１１）
前記透明な面が２〜５００ミクロン（２〜５００μｍ）の範囲にある層厚さを有する、態様１０に記載の画像ディスプレイ。
（態様１２）
前記保護層が１０Ｅ７オームｃｍ〜１０Ｅ１２オームｃｍの体積抵抗率を有する、態様１０に記載の画像ディスプレイ。
（態様１３）
前記透明な面は耐摩耗性ポリマー性層を含む、態様１０に記載の画像ディスプレイ。
（態様１４）
前記封止されたマイクロカップの各々は、前記透明な面と反対側のコモン電極層を構成する第２の面を更に含む、態様１に記載の画像ディスプレイ。
（態様１５）
前記封止されたマイクロカップに含まれる前記粒子は前記溶媒と視覚的にコントラストを為す帯電色素粒子である、態様１に記載の画像ディスプレイ。
（態様１６）
前記封止されたマイクロカップに含まれる前記溶媒は誘電性溶媒である、態様１に記載の画像ディスプレイ。
（態様１７）
前記誘電性溶媒は約２〜約３０の範囲にある誘電率を有する、態様１６に記載の画像ディスプレイ。
（態様１８）
前記色素粒子は色染料（またはカラー染料）を含む、態様１５に記載の画像ディスプレイ。
（態様１９）
前記色染料（またはカラー染料）はノニオン性アゾまたはアントラキノン染料である、態様１８に記載の画像ディスプレイ。
（態様２０）
前記封止されたマイクロカップに含まれる前記粒子は帯電有機粒子である、態様１に記載の画像ディスプレイ。
（態様２１）
前記封止されたマイクロカップに含まれる前記粒子は帯電無機粒子である、態様１に記載の画像ディスプレイ。
（態様２２）
前記封止されたマイクロカップに含まれる前記粒子は正に帯電した粒子である、態様１に記載の画像ディスプレイ。
（態様２３）
前記封止されたマイクロカップに含まれる前記粒子は負に帯電した粒子である、態様１に記載の画像ディスプレイ。
（態様２４）
前記プロセッサ制御画像書込手段は電気書込ヘッドを更に含む、態様７に記載の画像ディスプレイ。
（態様２５）
前記プロセッサ制御画像書込手段は前記透明な面と反対の裏側に配置される、態様７に記載の画像ディスプレイ。
（態様２６）
前記プロセッサ制御画像書込手段は前記透明な面と同じ側にある表示側に配置される、態様７に記載の画像ディスプレイ。
（態様２７）
前記消去手段は電気イレーサヘッドを更に含む、態様４に記載の画像ディスプレイ。
（態様２８）
前記消去手段は前記透明な面と反対の裏側に配置される、態様４に記載の画像ディスプレイ。
（態様２９）
前記消去手段は前記透明な面と同じ側にある表示側に配置される、態様４に記載の画像ディスプレイ。
（態様３０）
前記電磁気画像書込／描画手段は電気書込ペンである、態様１に記載の画像ディスプレイ。
（態様３１）
前記電気ペンは前記透明な面と同じ側にある表示側に配置される、態様３０に記載の画像ディスプレイ。
（態様３２）
前記電気書込ペンはマニュアルのイレーサとして機能するように電気イレーサを更に含む、態様３０に記載の画像ディスプレイ。
（態様３３）
マニュアルのイレーサとして機能するように電気イレーサを更に含む、態様１に記載の画像ディスプレイ。
（態様３４）
前記電気イレーサは前記透明な面と同じ側にある表示側に配置される、態様３３に記載の画像ディスプレイ。
（態様３５）
画像ディスプレイを構成（configure）するための方法であって：
封止されたマイクロカップのアレイに、溶媒中に懸濁した所定の電気的および磁気的特性を有する複数の粒子を充填し、複数の該封止されたマイクロカップの表面が透明な面を構成すること；および
該透明な面から視認可能な画像を形成するために、該複数の封止されたマイクロカップ内の該所定の電気的および磁気的特性を有する該粒子に電磁界をマニュアルで印加するための電磁気画像書込／描画手段を適用（apply）すること
を含む方法。
（態様３６）
前記粒子は電荷を帯びた粒子である、態様３５に記載の方法。
（態様３７）
前記封止されたマイクロカップのアレイは電気泳動分散物により充填されている、態様３５に記載の方法。
（態様３８）
前記画像を消去するために、前記所定の電気的および磁気的特性を有する前記粒子に電磁界を印加するための消去手段を用いることを更に含む、態様３５に記載の方法。
（態様３９）
前記画像をスキャンするための画像スキャニング手段を用いることを更に含む、態様３５に記載の方法。
（態様４０）
前記透明な面から視認可能な画像を書き込むために、画像データ源から入力データを受信するためのプロセッサ制御画像書込手段を用いることを更に含む、態様３５に記載の方法。
（態様４１）
前記封止されたマイクロカップに含まれる前記粒子から電磁気作用を中和するための中和手段を用いることを更に含む、態様３５に記載の方法。
（態様４２）
前記透明な面に対して電磁気操作を実施するために、該透明な面を移動させるための面移動手段を用いることを更に含む、態様３５に記載の方法。
（態様４３）
前記透明な面と反対側の第２の面にコモン電極層を設けるために、前記封止されたマイクロカップの各々に該第２の面を設定（configure：または構成もしくは形成）することを更に含む、態様３５に記載の方法。